(57)【要約】【課題】検索条件入力段階で、アクセス頻度の高いＵＲＬを確認し、そこへアクセスすることができるＷｅｂ検索システム等を提供すること。【解決手段】検索システムは、検索および閲覧の履歴を蓄積しておき、検索キーワード入力時に蓄積された履歴から入力を支援する情報を取り出し画面に表示する。【選択図】図１
2010055251.tif 000002
【特許請求の範囲】
【請求項１】
検索および閲覧の履歴を蓄積しておき、検索キーワード入力時に蓄積された履歴から入力を支援する情報を取り出し画面に表示することを特徴とする検索システム。
【請求項２】
検索支援情報として、現在入力中のキーワードを含む入力データの一覧とその検索の実行結果として得られるリンク情報を対にして表示し、直接リンク先に画面遷移することを特徴とする検索システム。
【請求項３】
前記リンク情報を、利用ユーザの特性を指定することで、利用性の高いリンクの一覧を表示することを特徴とする請求項１または２記載の検索システム。
【請求項４】
コンピュータに、検索および閲覧の履歴を蓄積しておき、検索キーワード入力時に蓄積された履歴から入力を支援する情報を取り出し画面に表示させる処理を実行させることを特徴とする検索プログラム。
【請求項５】
コンピュータに、検索支援情報として、現在入力中のキーワードを含む入力データの一覧とその検索の実行結果として得られるリンク情報を対にして表示し、直接リンク先に画面遷移させる処理を実行させることを特徴とする検索プログラム。
【請求項６】
前記リンク情報を、利用ユーザの特性を指定することで、利用性の高いリンクの一覧を表示することを特徴とする請求項４または５記載の検索プログラム。
【発明の詳細な説明】
【技術分野】
【０００１】
本発明は、効率の高いＷｅｂ検索技術に関する。
【背景技術】
【０００２】
Ｗｅｂ検索では、キーワード入力欄に１つ以上のキーワードを入力し検索を行う。
【０００３】
キーワード入力時に、以前自分が入力したキーワードの前方一致を行った一覧リストが自動表示されそこから選択することで、検索キーワードの入力の手間を省くことができるように工夫されたブラウザが存在する。
【０００４】
検索エンジンを利用全ユーザの入力キ-ワードの一覧とヒット件数を対にして表示する入力補完アプリケーションも存在する。
【０００５】
また、特許文献１では、検索履歴を利用して、検索結果を利用価値の高い順でＵＲＬをソートして表示する技術を示している。
【０００６】
目的とするサイトを検索するには、目的サイトを十分絞り込める、あるいは検索結果一覧において目的のＵＲＬが上位に位置するような検索キーワードで検索する必要がある。
【０００７】
一般的には、適当なキーワードで検索を繰り返し行い、検索結果一覧を調べることを繰り返しつつ目的のサイトを見つけ出す。
【０００８】
特許文献１では、指定キーワードの検索結果が利用価値の高い順にソートされて表示されるので、検索後、ページめくりをしなくても、目的のＵＲＬを見つけ出すことが容易にできる。
【０００９】
また、関連技術として、検索条件に合致するファイルを検索して閲覧する場合、個別に各ファイルの内容を確認しなくても自分が必要とするファイルをリスト中から効率的に選別できる技術が提案されている。その構成は、ユーザが指定した検索条件に合致するファイルを検索して閲覧する場合に、閲覧対象のファイルリストに付加する補助情報を獲得する補助情報獲得手段と、補助情報とこの補助情報を獲得した閲覧対象ファイルとを関連づけて格納する補助情報記憶手段と、閲覧対象のファイルリストを表示する際、各閲覧対象ファイルの補助情報を所定の表示形式で付加して表示する補助情報出力制御手段を備えて、閲覧対象のファイルリストに各閲覧対象ファイルの内容に関する複数の観点からの補助情報を組み合わせて付加して表示する（例えば、特許文献２参照）。
【特許文献１】特開２００４−２９９４３号公報
【特許文献２】特開２００４−１５７９６５号公報
【発明の開示】
【発明が解決しようとする課題】
【００１０】
しかしながら、上記の関連技術では、検索を実行するとなると、ある程度時間を要するし、検索によって利用価値の高いＵＲＬが検索されたかどうかは、検索して一覧を表示するまでわからない。検索キーワード入力段階で、キーワードの有効性が把握できた方が効率的であるし、検索実行しなくても利用価値の高いＵＲＬに画面遷移できる方が便利である。
【００１１】
また、同じキーワードで検索した結果得られたＵＲＬでも、利用価値が高いサイトであるかどうかは、ユーザの特性によってばらつきがある。ユーザの特性ごとに有効ＵＲＬの一覧が切り替われば、有効なＵＲＬが取得しやすい。
【００１２】
本発明は上述のごとき実情に鑑みてなされたもので、その目的は、検索条件入力段階で、アクセス頻度の高いＵＲＬを確認し、そこへアクセスすることができるＷｅｂ検索システム等を提供することにある。
【課題を解決するための手段】
【００１３】
請求項１に記載の発明は、検索および閲覧の履歴を蓄積しておき、検索キーワード入力時に蓄積された履歴から入力を支援する情報を取り出し画面に表示することを特徴とする検索システムである。
【００１４】
請求項２に記載の発明は、検索支援情報として、現在入力中のキーワードを含む入力データの一覧とその検索の実行結果として得られるリンク情報を対にして表示し、直接リンク先に画面遷移することを特徴とする検索システムである。
【００１５】
請求項３に記載の発明は、請求項１または２記載の検索システムにおいて、前記リンク情報を、利用ユーザの特性を指定することで、利用性の高いリンクの一覧を表示することを特徴とする。
【００１６】
請求項４に記載の発明は、コンピュータに、検索および閲覧の履歴を蓄積しておき、検索キーワード入力時に蓄積された履歴から入力を支援する情報を取り出し画面に表示させる処理を実行させることを特徴とする検索プログラムである。
【００１７】
請求項５に記載の発明は、コンピュータに、検索支援情報として、現在入力中のキーワードを含む入力データの一覧とその検索の実行結果として得られるリンク情報を対にして表示し、直接リンク先に画面遷移させる処理を実行させることを特徴とする検索プログラムである。
【００１８】
請求項６に記載の発明は、請求項４または５記載の検索プログラムにおいて、前記リンク情報を、利用ユーザの特性を指定することで、利用性の高いリンクの一覧を表示することを特徴とする。
【発明の効果】
【００１９】
検索条件入力段階で、アクセス頻度の高いＵＲＬを確認し、そこへアクセスすることができる。
【発明を実施するための最良の形態】
【００２０】
以下に、本発明の実施の形態について説明する。
【００２１】
図１に本実施の形態におけるＷｅｂ検索システムの構成を示す。クライアントＰＣ１０、検索支援ポータルおよび検索参照ＤＢ３０（検索とサイト参照の履歴を管理する）が載っている検索支援サーバ２０、ＷＥＢサービスとして検索ＡＰＩを提供する検索サーバ４０から構成される。
【００２２】
検索参照テーブルには、図２で示される情報が蓄積される。検索実行時およびＵＲＬを参照したごとにデータの記録が行われる。ＵＲＬの参照には次の２つの場合がある。
【００２３】
１）検索を実行して検索一覧を表示し、ページをめくるなどしてＵＲＬのリンクをクリックした場合。
【００２４】
２）検索キーワード入力時に、例えば、図３に示すような入力一覧が表示され、その横に表示されているＵＲＬのリンクをクリックした場合。
【００２５】
検索実行時には検索ＩＤが振られ、その検索で取得された検索一覧のＵＲＬへのアクセスを行った場合には、対応する検索ＩＤも合わせてテーブルに記録される。
【００２６】
検索キーワード入力一覧に表示されているＵＲＬのリンクから直接画面遷移した場合には検索ＩＤは記録されない。
【００２７】
図４を参照して操作のフローを詳細に説明する。
【００２８】
まず、検索支援サーバの検索ポータルにアクセスする（Ｓ４０１）。
【００２９】
次に、ログインする（Ｓ４０２）。なお、省略時はゲストユーザとして扱われる。
【００３０】
年代、関心事を選択する（Ｓ４０３）。
【００３１】
検索キーワードを入力する（Ｓ４０４）。
【００３２】
検索参照テーブルから入力候補一覧を生成する（Ｓ４０５）。
【００３３】
検索キーワードを選択する、または新規の場合は入力値を検索キーワードとする（Ｓ４０６）。
【００３４】
検索を実行し、検索ＩＤが発行され検索参照テーブルにデータが書き込まれ、検索支援ポータルから、検索サーバーのAPIを呼び出し検索結果を取得する（Ｓ４０７）。
【００３５】
検索一覧が表示される（Ｓ４０８）。
【００３６】
URLリンクをクリックする（Ｓ４０９）。
【００３７】
URLのサイトに画面遷移。
検索参照テーブルにデータが書き込まれ、検索一覧から選択の場合には検索IDも記録する（Ｓ４１０）。
【００３８】
検索一覧が表示され（Ｓ４０８）、次・前ページに進む（Ｓ４１１）。
【００３９】
操作を終了するか次の検索へ移行する（Ｓ４１２）。
【００４０】
図３の入力一覧は、以下の２つのステップで取得される。
１）検索参照テーブルデータ抽出
【００４１】
検索実行後、その検索結果一覧でＵＲＬ参照が行われない場合には、ＵＲＬとタイトルが空のデータとして抽出する（例として図５抽出データのＡＡＡＢＢＢ）。検索結果一覧からＵＲＬ参照が行われた検索についてはそのデータを抽出しない。
【００４２】
自分の検索参照だけを表示がチェックされている場合は（この指定はログイン時にのみ利用可能）、現ユーザの検索参照データだけを利用して一覧が作成される。
【００４３】
年代、関心事が指定されている場合は検索参照データから該当するデータのみを対象とする。
【００４４】
画面に入力されている検索キーワードが複数個ある場合には、それぞれを切り出し、それぞれについて検索参照テーブルデータの検索条件に含まれるキーワード（複数指定されている条件の場合にはいずれか）に前方一致することを調べ、全て該当する場合にその検索参照テーブルデータを対象とする。
【００４５】
２）検索条件とＵＲＬでデータをマージ
図５マージデータの様に検索条件、ＵＲＬを頻度の順でマージする。
候補一覧では、検索条件と、その検索条件に対応するアクセス数の多いＵＲＬ上位数個を表示する。
【００４６】
上記の本実施の形態によれば、検索条件入力段階で、アクセス頻度の高いＵＲＬを確認し、そこへアクセスすることができる。また、ＵＲＬに利用ユーザの特性（年代、関心事）を指定することで、一覧に表示されるデータが絞りこまれ、検索語候補が見つけやすくなると共に、利用性の高いリンクの一覧を表示することが可能になる。
【００４７】
なお、上述する各実施の形態は、本発明の好適な実施の形態であり、本発明の要旨を逸脱しない範囲内において種々の変更実施が可能である。
【図面の簡単な説明】
【００４８】
【図１】本発明のシステム概略図である。
【図２】検索参照テーブルを示す図である。
【図３】検索入力画面を示す図である。
【図４】操作フローを示す図である。
【図５】検索条件とURLのマージを示す図である。
【符号の説明】
【００４９】
１０    クライアントＰＣ
２０    検索支援サーバ
３０    検索参照ＤＢ
４０    検索サーバ
【図１】
2010055251.tif 000003
【図２】
2010055251.tif 000004
【図３】
2010055251.tif 000005
【図４】
2010055251.tif 000006
【図５】
2010055251.tif 000007